(57)【要約】【課題】再生端末に対するコンテンツ配信等を、公衆回線網に依存することなく行うことにより、配信コンテンツ等に対する不正改ざん等の問題の発生を回避し、且つ、各再生端末において時刻設定に基づくスケジュール管理を行うことが可能なデジタルサイネージ方法及びシステムを提供することを課題とする。【解決手段】複数のデジタルサイネージ用ディスプレイ４と、ディスプレイ４に表示させるコンテンツデータを、その表示順、表示時間帯を含むスケジュールデータと共に配信するための配信リストを作成し、ｗｉｆｉ接続されている複数の再生端末３に対して個別に又は一斉に配信する携帯端末１と、携帯端末１から配信されるコンテンツデータをスケジュールデータに従ってディスプレイ４に表示させる再生端末３とから成る。【選択図】図１
2019160313.tif 000002
【特許請求の範囲】
【請求項１】
コンテンツデータが作成されるステップと、
作成された前記コンテンツデータが、公衆回線網を介することなく携帯端末に転送されるステップと、
前記携帯端末において、ディスプレイを制御する再生端末に対する配信リストが各再生端末ごとに作成されるステップと、
前記携帯端末から、それにｗｉｆｉ接続されている前記再生端末に対し、当該再生端末に対応する前記配信リストが配信されるステップと、
ＧＰＳモジュールを具備する前記各再生端末において、ＧＰＳを利用した時刻設定に基づくスケジュール管理が行われるステップと、
前記再生端末から前記配信リストに含まれるコンテンツデータが、それに紐付けられたスケジュールデータに従って前記ディスプレイに送信されるステップと、  
前記スケジュールデータに従って前記ディスプレイにおいて前記コンテンツが表示されるステップとから成り、
前記配信リストは、前記ディスプレイの再生端末ＩＤと、当該ディスプレイに表示させるコンテンツの種類と、各コンテンツの表示期間、表示順、表示時間帯、再生時間を含むスケジュールデータとを含むことを特徴とするデジタルサイネージ方法。
【請求項２】
前記コンテンツの表示ステップにおいて、前記再生端末のＧＰＳモジュールが災危通報を受信したときに、その情報が前記ディスプレイにテロップにて流され、あるいは、静止画に変換して流される、請求項１に記載のデジタルサイネージ方法。
【請求項３】
所定地域内に設置されて、文字・動画・静止画で構成されるコンテンツを表示する複数のデジタルサイネージ用ディスプレイと、
前記ディスプレイを制御する再生端末ごとに、前記コンテンツのデータと、前記コンテンツの表示順、表示時間帯を含むスケジュールデータを含む配信リストを作成し、ｗｉｆｉ接続されている複数の前記再生端末に個別に又は一斉に配信する携帯端末と、
前記携帯端末から配信される前記コンテンツデータを前記スケジュールデータに従って前記ディスプレイに表示させる前記再生端末とから成ることを特徴とするデジタルサイネージシステム。
【請求項４】
前記再生端末はＧＰＳモジュールを備えていて、ＧＰＳを利用した時刻設定に基づくスケジュール管理が可能である、請求項３に記載のデジタルサイネージシステム。
【請求項５】
前記再生端末は、前記ディスプレイに配備されたＨＤＭＩ（登録商標）端子に接続されるＳＴＢである、請求項３又は４に記載のデジタルサイネージシステム。
【請求項６】
コンテンツデータが作成されるコンテンツデータ作成ステップと、
作成された前記コンテンツデータが、公衆回線網を介することなく携帯端末に転送されるコンテンツデータ転送ステップと、
前記携帯端末において、ディスプレイを制御する再生端末ごとに、前記ディスプレイに表示させるコンテンツデータとそのコンテンツデータそれぞれに紐付けられる表示エリア、並びに、表示条件を含む配信リストが作成される配信リスト作成ステップと、
前記携帯端末からそれにｗｉｆｉ接続されている前記再生端末に対し、当該再生端末に対応する前記配信リストが配信される配信リスト配信ステップと、
前記再生端末において、前記配信リストに含まれる前記コンテンツデータ及びそれに紐付けられた表示エリアを記憶する配信リスト記憶ステップと、
前記再生端末において、ＧＰＳモジュールを介して取得した位置情報から自らの現在位置とそれが属する前記表示エリアを特定し、特定された前記表示エリアに紐付けられている前記コンテンツデータを前記ディスプレイに送信する表示エリア特定ステップと、
前記ディスプレイにおいて、前記送信されたコンテンツデータを表示する表示ステップとから成り、
前記表示エリア特定ステップにおいて特定される前記表示エリアが変わるに伴い、表示される前記コンテンツが変更されることを特徴とするデジタルサイネージ方法。
【請求項７】
前記コンテンツデータの表示ステップにおいて、前記再生端末のＧＰＳモジュールが災危通報を受信したときに、その情報が前記ディスプレイにテロップにて流され、あるいは、静止画に変換して流される、請求項６に記載のデジタルサイネージ方法。
【請求項８】
移動手段内に設置されて、文字・動画・静止画で構成されるコンテンツを表示するデジタルサイネージ用ディスプレイと、
前記ディスプレイに表示させるコンテンツデータとそれに紐付けられる当該コンテンツデータを表示すべき表示エリア並びに表示条件を含む配信リストを、ディスプレイを制御する再生端末ごとに作成し、ｗｉｆｉ接続されている前記再生端末に配信する携帯端末と、
前記携帯端末から配信される前記配信リストに従って前記コンテンツデータを前記ディスプレイに表示させる前記再生端末とから成り、
前記再生端末において、ＧＰＳモジュールを介して取得した位置情報から自らの現在位置及びそれが属する前記表示エリアを特定し、特定された前記表示エリアに紐付けられている前記コンテンツデータを前記ディスプレイに送信して表示させる処理が反復され、特定される前記表示エリアが変わるに伴い、表示される前記コンテンツが変更されることを特徴とするデジタルサイネージシステム。
【請求項９】
前記再生端末は、前記ディスプレイに配備されたＨＤＭＩ（登録商標）端子に接続されるＳＴＢである、請求項８に記載のデジタルサイネージシステム。
【発明の詳細な説明】
【技術分野】
【０００１】
本発明は、デジタルサイネージ方法及びシステムに関するものであり、より詳細には、駅構内や店舗等に配置される広告用ディスプレイであるサイネージ端末に、種々の広告や情報を表示して通行人に閲覧させるための、あるいは、交通機関等の移動手段に設置して乗客に閲覧させるためのデジタルサイネージを運用するためのデジタルサイネージ方法及びシステムに関するものである。
【背景技術】
【０００２】
デジタルサイネージは、設置場所の地域性を考慮した視聴者ターゲットの設定を行い、その特定層に焦点を絞った広告メッセージを発信でき、通信ネットワークを使ってリアルタイム操作・情報配信が可能であり、また、ポスターやロール・スクリーン看板のような印刷物の取替えの手間がかからないといった利点があるところから、広く利用されている。
【０００３】
一般に、デジタルサイネージを実行するためのシステムは、プラズマディスプレイ、ＬＣＤ、ＬＥＤ、ＶＦＤ、映像プロジェクタ等によって文字・動画・静止画を表示する、再生端末が付設されたディスプレイと、映像表示制御部や通信制御部と共に記憶装置を備え、動画や静止画の情報を保持する制御部であるサイネージサーバーと、インターネット等の公衆回線網を介して広告配信元から表示情報を受け取り、必要に応じて動作確認を返すデジタル通信路と、広告用の各種情報を保存するストレージ（内蔵メモリやメモリーカード等）とを備えて構成される。
【０００４】
そして、各ディスプレイにおけるコンテンツ表示のスケジュール管理、即ち、表示するコンテンツごとの表示日時、表示時間帯、表示時間等の管理は、インターネット等を介してサイネージサーバーによって行われる。
【先行技術文献】
【特許文献】
【０００５】
【特許文献１】特開２０１６−９１４２１号公報
【特許文献２】特開２０１５−９０６００号公報
【発明の概要】
【発明が解決しようとする課題】
【０００６】
上述したように、デジタルサイネージを実行するためのシステムは一般に、ディスプレイに付設される再生端末とサイネージサーバー等がインターネットを介して接続されて構成されるものであるので、配信コンテンツに対して不正アクセスし、不正改ざんするといった問題が起こり得る。そして、そのような事態の発生を回避するために各再生端末をスタンドアロン型にした場合は、各再生端末における時刻設定ができず、スケジュール管理ができなくなるという不都合が生ずる。
【０００７】
そこで本発明は、再生端末に対するコンテンツ配信等を、公衆回線網に依存することなく行うことにより、配信コンテンツ等に対する不正改ざん等の問題の発生を回避し、且つ、各再生端末において時刻設定をしてスケジュール管理を行うことを可能にし、あるいは、エリア設定をして各エリアに対応するコンテンツの表示を可能にした、デジタルサイネージ方法及びシステムを提供することを課題とする。
【課題を解決するための手段】
【０００８】
上記課題を解決するための請求項１に係る発明は、
コンテンツデータが作成されるステップと、
作成された前記コンテンツデータが、公衆回線網を介することなく携帯端末に転送されるステップと、
前記携帯端末において、ディスプレイを制御する再生端末に対する配信リストが各再生端末ごとに作成されるステップと、
前記携帯端末から、それにｗｉｆｉ接続されている前記再生端末に対し、当該再生端末に対応する前記配信リストが配信されるステップと、
ＧＰＳモジュールを具備する前記各再生端末において、ＧＰＳを利用した時刻設定に基づくスケジュール管理が行われるステップと、
前記再生端末から前記配信リストに含まれるコンテンツデータが、それに紐付けられたスケジュールデータに従って前記ディスプレイに送信されるステップと、  
前記スケジュールデータに従って前記ディスプレイにおいて前記コンテンツが表示されるステップとから成り、
前記配信リストは、前記ディスプレイの再生端末ＩＤと、当該ディスプレイに表示させるコンテンツの種類と、各コンテンツの表示期間、表示順、表示時間帯、再生時間を含むスケジュールデータとを含むことを特徴とするデジタルサイネージ方法である。
【０００９】
一実施形態においては、前記コンテンツの表示ステップにおいて、前記再生端末のＧＰＳモジュールが災危通報を受信したときに、その情報が前記ディスプレイにテロップにて流され、あるいは、静止画に変換して流される。
【００１０】
上記課題を解決するための請求項３に係る発明は、
所定地域内に設置されて、文字・動画・静止画で構成されるコンテンツを表示する複数のデジタルサイネージ用ディスプレイと、
前記ディスプレイを制御する再生端末ごとに、前記コンテンツのデータと、前記コンテンツの表示順、表示時間帯を含むスケジュールデータを含む配信リストを作成し、ｗｉｆｉ接続されている複数の前記再生端末に個別に又は一斉に配信する携帯端末と、
前記携帯端末から配信される前記コンテンツデータを前記スケジュールデータに従って前記ディスプレイに表示させる前記再生端末とから成ることを特徴とするデジタルサイネージシステムである。
【００１１】
一実施形態においては、前記再生端末はＧＰＳモジュールを備えていて、ＧＰＳを利用した時刻設定に基づくスケジュール管理が可能である。また、前記再生端末は、前記ディスプレイに配備されたＨＤＭＩ（登録商標）端子に接続されるＳＴＢである。
【００１２】
上記課題を解決するための請求項６に係る発明は、
コンテンツデータが作成されるコンテンツデータ作成ステップと、
作成された前記コンテンツデータが、公衆回線網を介することなく携帯端末に転送されるコンテンツデータ転送ステップと、
前記携帯端末において、ディスプレイを制御する再生端末ごとに、前記ディスプレイに表示させるコンテンツデータとそのコンテンツデータそれぞれに紐付けられる表示エリア、並びに、表示条件を含む配信リストが作成される配信リスト作成ステップと、
前記携帯端末からそれにｗｉｆｉ接続されている前記再生端末に対し、当該再生端末に対応する前記配信リストが配信される配信リスト配信ステップと、
前記再生端末において、前記配信リストに含まれる前記コンテンツデータ及びそれに紐付けられた表示エリアを記憶する配信リスト記憶ステップと、
前記再生端末において、ＧＰＳモジュールを介して取得した位置情報から自らの現在位置とそれが属する前記表示エリアを特定し、特定された前記表示エリアに紐付けられている前記コンテンツデータを前記ディスプレイに送信する表示エリア特定ステップと、
前記ディスプレイにおいて、前記送信されたコンテンツデータを表示する表示ステップとから成り、
前記表示エリア特定ステップにおいて特定される前記表示エリアが変わるに伴い、表示される前記コンテンツが変更されることを特徴とするデジタルサイネージ方法である。
【００１３】
一実施形態においては、前記コンテンツデータの表示ステップにおいて、前記再生端末のＧＰＳモジュールが災危通報を受信したときに、その情報が前記ディスプレイにテロップにて流され、あるいは、静止画に変換して流される。
【００１４】
上記課題を解決するための請求項８に係る発明は、
移動手段内に設置されて、文字・動画・静止画で構成されるコンテンツを表示するデジタルサイネージ用ディスプレイと、
前記ディスプレイに表示させるコンテンツデータとそれに紐付けられる当該コンテンツデータを表示すべき表示エリア並びに表示条件を含む配信リストを、ディスプレイを制御する再生端末ごとに作成し、ｗｉｆｉ接続されている前記再生端末に配信する携帯端末と、
前記携帯端末から配信される前記配信リストに従って前記コンテンツデータを前記ディスプレイに表示させる前記再生端末とから成り、
前記再生端末において、ＧＰＳモジュールを介して取得した位置情報から自らの現在位置及びそれが属する前記表示エリアを特定し、特定された前記表示エリアに紐付けられている前記コンテンツデータを前記ディスプレイに送信して表示させる処理が反復され、特定される前記表示エリアが変わるに伴い、表示される前記コンテンツが変更されることを特徴とするデジタルサイネージシステムである。
【００１５】
一実施形態においては、前記再生端末は、前記ディスプレイに配備されたＨＤＭＩ（登録商標）端子に接続されるＳＴＢである。
【発明の効果】
【００１６】
本発明は上述したとおりであって、本発明に係るデジタルサイネージ方法及びシステムによれば、再生端末に対するコンテンツデータ等の配信が公衆回線網を介することなく行われるため、配信コンテンツ等に対する不正アクセス、不正改ざん等の問題が生ずるおそれがなく、また、再生端末の有するＧＰＳを利用した時刻設定に基づくスケジュール管理機能により、安定且つ正確なスケジュールに基づくコンテンツの再生が可能となる効果がある。
【００１７】
また、本発明の第２の態様によれば、移動手段に配置された再生端末に対し、前記ディスプレイに表示させるコンテンツデータとそれに紐付けられる当該コンテンツデータを表示すべき表示エリアを含む配信リストが配信されるので、異なる表示エリアに移動する度に、移動先の表示エリアに対応するコンテンツデータが適切に表示される効果がある。
【図面の簡単な説明】
【００１８】
【図１】本発明に係るデジタルサイネージシステムの構成を示す簡略ブロック図である。
【図２】本発明に係る第１の態様のデジタルサイネージ方法の流れを示すフロー図である。
【図３】本発明に係る第１の態様のデジタルサイネージ方法における配信リストの配信操作（配信リスト（コンテンツ）の配信ステップ）を示す携帯端末の画面である。
【図４】本発明に係る第１の態様のデジタルサイネージ方法における配信リストの配信操作（配信リスト（コンテンツ）の配信ステップ）を示す携帯端末の画面である。
【図５】本発明に係る第１の態様のデジタルサイネージ方法における配信リストの配信操作（配信リスト（配信設定）の配信ステップ）を示す携帯端末の画面である。
【図６】本発明に係る第１の態様のデジタルサイネージ方法における配信リストの配信操作（配信リスト（配信設定）の配信ステップ）を示す携帯端末の画面である。
【図７】本発明に係る第２の態様のデジタルサイネージ方法の流れを示すフロー図である。
【図８】本発明に係る第２の態様のデジタルサイネージシステムにおける再生端末の機能ブロック構成例を示す図である。
【発明を実施するための形態】
【００１９】
本発明を実施するための形態について、添付図面に依拠して説明する。本発明の第１の態様のデジタルサイネージ方法は、図２に示されるように、コンテンツデータが作成されるステップ（Ｓ１）と、作成された前記コンテンツデータが、公衆回線網を介することなく携帯端末に転送されるステップ（Ｓ２）と、前記携帯端末において、ディスプレイを制御する再生端末に対する配信リストが各再生端末ごとに作成され、前記携帯端末からそれにｗｉｆｉ接続されている前記再生端末に対し、当該再生端末に対応する前記配信リストが配信されるステップ（Ｓ３，４）と、前記各再生端末において、ＧＰＳを利用した時刻設定に基づくスケジュール管理が行われるステップ（Ｓ５）と、前記再生端末から前記配信リストに含まれるコンテンツデータが、それに紐付けられたスケジュールデータに従って前記ディスプレイに送信されるステップ（Ｓ６）と、前記スケジュールデータに従って前記ディスプレイにおいて前記コンテンツデータが表示されるステップ（Ｓ７）とから成る。
【００２０】
本発明に係るデジタルサイネージシステムは、上記デジタルサイネージ方法を実施するためのシステムであって、図１に示されるように、文字・動画・静止画で構成されるコンテンツデータを作成するコンテンツデータ作成用パソコン２と、所定地域内に設置されてコンテンツを表示する複数のデジタルサイネージ用ディスプレイ４と、ディスプレイ４に表示させるコンテンツを、その表示順、表示時間帯を含むスケジュールデータと共に配信するための配信リストを作成し、ｗｉｆｉ接続されている複数の再生端末３に対して個別に又は一斉に配信する携帯端末１と、携帯端末１から配信されるコンテンツデータをスケジュールデータに従ってディスプレイ４に表示させる再生端末３とから成る。
【００２１】
携帯端末１としては、通例、スマートフォンが用いられるが、タブレット端末、ノートパソコン等であってもよい。再生端末３には、ＧＰＳ機能を実行するためのＧＰＳモジュールが組み込まれていて、ＧＰＳを利用したスケジュール管理が可能である。即ち、ＧＰＳモジュールは、原子時計に基づく正確な時刻・日付情報と、それが存在するタイムゾーン情報とから、時刻・日付を合わせる。一実施形態においては、再生端末３は、ディスプレイ４に配備されたＨＤＭＩ（登録商標）端子に接続されるＳＴＢ（Ｓｅｔ  Ｔｏｐ  Ｂｏｘ）である。
【００２２】
近時実用化されている準天頂衛星システムの衛星「みちびき」からは、約４秒間隔で地震、津波等の災害情報、避難勧告等の発令状況についての通報（災危通報）が送信されているので、再生端末３においてこの災危通報を受信したときに、その情報をディスプレイ４にテロップにて流し、あるいは、静止画に変換して流すようにすることが好ましい。
【００２３】
上記構成の第１の態様のデジタルサイネージシステムを利用した本発明に係るデジタルサイネージ方法における処理の流れにつき、図２を参照しつつより詳細に説明する。
【００２４】
コンテンツデータ作成ステップ（Ｓ１）
先ず、コンテンツデータ作成用パソコン２において、各ディスプレイ４に表示させるコンテンツデータが複数種作成される（ステップＳ１）。
【００２５】
コンテンツデータ転送ステップ（Ｓ２）
コンテンツデータ作成用パソコン２において作成されたコンテンツデータは、公衆回線網を介することなく、ＵＳＢ等の手段で直接携帯端末１に転送され、配信リスト作成のために記憶される（ステップＳ２）。
【００２６】
配信リスト（コンテンツデータ）の作成ステップ（Ｓ３）
このステップは、携帯端末1において、それにｗｉｆｉ接続されている再生端末（ＳＴＢ）３ごとに配信リストを作成するステップである。この配信リストは、ディスプレイ４の再生端末ＩＤと、当該ディスプレイ４に表示させるコンテンツの種類と、各コンテンツの表示期間、表示順、表示時間帯、再生時間等のスケジュールデータと、エフェクト（フェイド等）、表示方向（上から下方向、左から右方向、右から左方向）等の表示条件とを含むもので、再生端末３ごとに設定される。
【００２７】
図３（Ａ）は、店舗Ａの再生端末３Ａに対する配信リストを示している。先ず、図３（Ａ）に示す画面から編集したい配信リストをタップし、そこに含まれているコンテンツを一覧表示させ、その中から再生端末３Ａに配信するコンテンツを必要数選択してタップし、配信リストに追加する。なお、配信リスト名の右に表示されている「テレビ型アイコン」は、選択した再生端末３Ａに送信されている配信リストを表しており、図３（Ａ）に示す例では、「配信リスト８」が再生端末３Ａに送信されていることが分かる。
【００２８】
そこに表示されたコンテンツ以外のコンテンツを表示したい場合は、コンテンツ表示画面に設けられている追加ボタンをタップして、画像、動画、ダウンロード、ＳＤカード等の選択ボタンを表示させる（図３（Ｂ））。
【００２９】
そこで例えばＳＤカードボタンをタップすると、ＳＤカードに保存されているコンテンツフォルダーが呼び出される。図４（Ａ）は、そのうちの横画像フォルダーを示すものである。その中から再生端末３Ａに表示させる必要のあるコンテンツを必要数選択してタップすると、それらが画面に、送信予定用コンテンツとして並列表示される（図４（Ｂ））。コンテンツを編集した後送信ボタンをタップすると、再生端末３Ａに送信したコンテンツが、送信済みとして並列表示される。なお、図４（Ｃ）では、編集した「配信リスト８」が再生端末３に送信されたことが示されている。
【００３０】
配信リスト（配信設定）の配信ステップ（Ｓ４）
このステップは、送信済みのコンテンツごとに配信設定（表示条件設定）を行って、再生端末３Ａに送信するステップである。その配信設定のために、先ず、図５（Ａ）の画面において配信設定するリストのメニューの右のアイコン「・・・」をタップすると、設定ボタンが表示される（図５（Ａ））。その設定ボタンをタップすると、設定画面（図５（Ｂ））が呼び出される。その設定画面において、画像表示時間（図５（Ｃ））、表示期間、表示順、表示時間帯等のスケジュールデータを設定し、また、エフェクト（フェイド等）、並びに、表示方向（上から下方向、左から右方向、右から左方向）等の表示条件（画像切り替え効果）を設定し（図６）、設定した表示条件を再生端末３Ａに送信する。
【００３１】
スケジュール管理ステップ（Ｓ５）
各再生端末３においては、ＧＰＳを利用した時刻設定に基づくスケジュール管理が行われる（ステップＳ５）。即ち、各再生端末３は、内蔵するＧＰＳモジュールによって常時正確な時刻・日付情報を取得しており、配信リストに含まれる各コンテンツデータを、それに紐付けられたスケジュールデータに従ってディスプレイ４に送信し得るようにスケジュール管理する機能を有する。
【００３２】
コンテンツデータ送信ステップ（Ｓ６）
上述したように各再生端末３は、携帯端末１から送られて記憶している各コンテンツにつき、ディスプレイ４に表示させる時刻等のスケジュール管理を行い、所定時刻になったところでそのコンテンツデータを、その表示条件に従ってディスプレイ４に送信する（ステップＳ６）。
【００３３】
ディスプレイ表示ステップ（Ｓ７）
このステップは、ディスプレイ４において再生端末３から送られてくるコンテンツを表示するステップである（ステップＳ７）。なお、上述したように、好ましい実施形態においては、再生端末３において災危通報を受信したときは、その情報がディスプレイ４にテロップにて流され、あるいは、静止画に変換して流される。
【００３４】
携帯端末1からの各再生端末３に対する配信リストの配信（ステップＳ４）は、メニュー画面における端末ＩＤボタンをタップして再生端末３（再生端末ＩＤ）を選択することにより個別に行われることが多いが、各再生端末３に配信する配信リストが共通の場合は、一斉配信とされることもある。
【００３５】
次いで、本発明の第２の態様について説明する。上記第１の態様は、再生端末３が付設されたディスプレイ４が駅構内や店舗等に配置される場合のものであって、再生端末３及びディスプレイ４は移動しないが、第２の態様は、再生端末３及びディスプレイ４が交通手段、即ち、電車、バス、タクシー等の移動手段に搭載されて移動する場合のものである。この第２の態様の場合の基本的構成は第１の態様の場合と変わりないが、下記のとおり、配信リストの内容及びディスプレイ４におけるコンテンツデータの表示タイミングが相違し、その点において構成を異にする。
【００３６】
第２の態様のデジタルサイネージ方法は、図７に示されるように、
コンテンツデータが作成されるコンテンツデータ作成ステップ（Ｓ１１）と、
作成された前記コンテンツデータが、公衆回線網を介することなく携帯端末に転送されるコンテンツデータ転送ステップ（Ｓ１２）と、
前記携帯端末において、ディスプレイを制御する再生端末ごとに、前記ディスプレイに表示させるコンテンツデータとそのコンテンツデータそれぞれに紐付けられる表示エリア、並びに、表示条件を含む配信リストが作成される配信リスト作成ステップ（Ｓ１３）と、
前記携帯端末からそれにｗｉｆｉ接続されている前記再生端末に対し、当該再生端末に対応する前記配信リストが配信される配信リスト配信ステップ（Ｓ１４）と、
前記再生端末において、前記配信リストに含まれる前記コンテンツデータ及びそれに紐付けられた表示エリアを記憶する配信リスト記憶ステップ（Ｓ１５）と、
前記再生端末において、ＧＰＳモジュールを介して取得した位置情報から自らの現在位置とそれが属する前記表示エリアを特定し、特定された前記表示エリアに紐付けられている前記コンテンツデータを前記ディスプレイに送信して表示させる表示エリア特定ステップ（Ｓ１６）と、
前記ディスプレイにおいて、前記送信されたコンテンツデータを表示する表示ステップ（Ｓ１７）とから成り、
前記表示エリア特定ステップにおいて特定される前記表示エリアが変わるに伴い、表示される前記コンテンツが変更されることを特徴とするものである。
【００３７】
また、本発明の第２の態様のデジタルサイネージシステムは、この第２の態様のデジタルサイネージ方法を実施するためのシステムであって、システムの基本的構成は、第１の態様と同様である。即ち、文字・動画・静止画で構成されるコンテンツデータを作成するコンテンツデータ作成用パソコン２と、コンテンツを表示する複数のデジタルサイネージ用ディスプレイ４と、ディスプレイ４に表示させるコンテンツデータを配信するための配信リストを作成し、作成した配信リストを、ｗｉｆｉ接続されている、ディスプレイ４を制御する再生端末３に対して配信する携帯端末１とから成る（図１参照）。
【００３８】
但し、この場合の再生端末３は、それが具備するＧＰＳモジュール１０によって得られる位置情報に基づいて表示エリアを特定し、携帯端末１から配信される当該表示エリアに紐付けられているコンテンツデータをディスプレイ４に表示させる。その場合、特定される表示エリアが変わるに伴い、表示されるコンテンツが変更されることになる。
【００３９】
上記のとおり第２の態様においては、再生端末３及びディスプレイ４が電車、バス、タクシー等の移動手段に搭載され、ディスプレイ４は、その移動手段の乗客が目にし得る位置に配置される。その場合携帯端末１は、通例、運転手の手元に置かれる。この第２の態様の場合のコンテンツとしては、広告の他に、バスの停留所案内や料金（運賃）、注意喚起の案内等が含まれる。
【００４０】
表示エリアの範囲は、予め選定されたポイントを中心に、例えば半径５０ｍのようにして任意に設定される。例えば、バスの運行に適用する場合は、「虎ノ門」、「霞が関三丁目」、「溜池」等の停留所をポイントに設定し、そのポイントを中心にして半径５０ｍのように設定することができる。その場合、隣接する表示エリアの一部が重なり合うこともある。この表示エリアの範囲は、適宜変更可能である。
【００４１】
携帯端末１においては、コンテンツデータ作成用パソコン２から転送される多数のコンテンツデータと、上記のようにして設定した表示エリア（ポイント）との紐付け処理が行われる。即ち、表示エリアＸにおいて表示するコンテンツとしてコンテンツｘ１、ｘ２、ｘ３を選択し、また同時に、コンテンツｘ１を１０秒間、コンテンツｘ２を１０秒間、コンテンツｘ３を５秒間といったような、各コンテンツの表示条件を設定する。そして、各再生端末３ごとに、１又は複数の表示エリア及びそれに紐付けられたコンテンツデータの組と、その表示条件を含む配信リストを作成する。
【００４２】
図８は、再生端末３の機能ブロック構成例を示すもので、そこに示されるように再生端末３は、再生端末３が具備するＧＰＳモジュール１０から位置情報を取得する位置情報取得部１１と、地図情報及び表示エリアに紐付けられたコンテンツデータを記憶する記憶部１２と、エリア判定部１３と、送受信部１４を含む。これらの位置情報取得部１１、記憶部１２、エリア判定部１３及び送受信部１４は、再生端末３が備えるＣＰＵが、その記憶装置に記憶されたプログラム（アプリ）を実行することにより実現することができる。
【００４３】
位置情報取得部１１は、例えば４秒置きにＧＰＳモジュール１０から送られてくる位置情報を取得し、その位置情報を逐次エリア判定部１３に供給する。エリア判定部１３は、位置情報取得部１１から送られてくる位置情報と記憶部１２に記憶されている地図情報から、再生端末３の現在位置及びそれが属する表示エリアを特定し、特定された表示エリアに紐付けられているコンテンツデータを記憶部１２から引き出し、送受信部１４を介してディスプレイ４に送信し、配信リストにおいて指定された表示条件に従って表示させる。
【００４４】
エリア判定部１３は、位置情報取得部１１から位置情報が送られてくる度に上記処理を行い、同一表示エリア内に位置する限り、換言すれば、異なる表示エリア内に進入しない限り、ディスプレイ４には同一のコンテンツが反復表示されることになる。そして、交通手段の移動に伴って異なる表示エリアに進入したと判定した場合は、その進入先の表示エリアに紐付けられたコンテンツデータを記憶部１２から引き出し、ディスプレイ４に送信して切り替え表示させる。
【産業上の利用可能性】
【００４５】
本発明に係るデジタルサイネージ方法及びシステムは上述した通りのものであり、この方法及びシステムによれば、再生端末に対するコンテンツデータ等の配信が公衆回線網を介することなく行われるため、配信コンテンツ等に対する不正アクセス、不正改ざん等の問題が生ずるおそれがなく、また、再生端末の有するＧＰＳを利用した時刻設定に基づくスケジュール管理機能により、安定且つ正確なスケジュールに基づくコンテンツの再生が可能となる利点がある。  
【００４６】
そして、本発明の第２の態様によれば、移動手段に配置された再生端末に対し、前記ディスプレイに表示させるコンテンツデータとそれに紐付けられる当該コンテンツデータを表示すべき表示エリアを含む配信リストが配信されるので、異なる表示エリアに移動する度に、移動先の表示エリアに対応するコンテンツデータが適切に表示される効果のあるものであり、その産業上の利用可能性は大である。
【符号の説明】
【００４７】
１          携帯端末
２          コンテンツデータ作成用パソコン
３          再生端末
４          ディスプレイ
１０        ＧＰＳモジュール
１１        位置情報取得部
１２        記憶部
１３        エリア判定部
１４        送受信部  
【図１】
2019160313.tif 000003
【図２】
2019160313.tif 000004
【図３】
2019160313.tif 000005
【図４】
2019160313.tif 000006
【図５】
2019160313.tif 000007
【図６】
2019160313.tif 000008
【図７】
2019160313.tif 000009
【図８】
2019160313.tif 000010